(57)【要約】【課題】部材を追加することなく、前面パネルの貫通孔と当該貫通孔より一部が突出する面押しボタンとの間隙から光が漏れるのを抑制し、さらに、その間隙より静電気が侵入し内部に配置される基板や電子部品の誤作動や破損等の不具合が発生するのを抑制することができる面押しボタンを備えた電子機器を提供する。【解決手段】前面パネル１と、台座部２１、面押し部２２、スイッチ押圧部２３、ヒンジ部２４、ボス孔２５及び面押し部２２の少なくとも一部を覆うように形成される遮断リブ２６が備えられる面押しボタン２と、前面パネル１と平行に配置される基板３と、基板に取り付けられたスイッチ４と、基板３に取り付けられた発光ダイオード５と、発光ダイオード５より出射された光を導くための導光レンズ６とを備えたＤＶＤプレーヤＡ【選択図】図２
2007188683.tif 000002
【特許請求の範囲】
【請求項１】
前面から背面に貫通した貫通孔と、前記貫通孔の縁を背面側に折り曲げることで形成されたリブと、前記貫通孔と近接した場所に形成され前面から背面に貫通したレンズ露出孔と、背面側に突出する取付ボスとを具備した前面パネルと、
少なくとも発光ダイオードとスイッチとが実装され前記前面パネルに対して平行に配置された基板と、
平板形状の台座部と、前記台座部より一体的に突出した面押し部と、前記台座部の一方の端部近傍から少なくとも一部が前記面押し部と反対側に一体的に突出し先端部が前記スイッチと対向するスイッチ押圧部と、前記台座部の他方の端部に該台座部の厚みよりも薄く且つ該他方の端部の一部と一体的に連結するヒンジ部と、前記ヒンジ部と一体的に連結するとともに前記取付ボスに挿着されるボス孔とを具備する面押しボタンと、
前記台座部の前記一方の端部に近接して配置され、一方の端面に凹凸が形成され前記発光ダイオードより出射された光が入射すると共に他方の端面が前記レンズ露出孔より露出し前記入射した光をレンズ露出孔より外部に導く柱状の導光レンズとを備え、
前記面押しボタンは前記面押し部と前記導光レンズとの間に、前記台座部より前記面押し部から距離を開けて該面押し部と同じ方向に一体的に突出した半円筒状の遮断リブを有しており、
前記面押しボタンを前記ボス孔を前記取付ボスに挿着し固定することで、前記面押し部の一部が前記貫通孔より前記前面パネルの外側に露出し、前記貫通孔及び前記リブの内側に非接触状態になるように且つ前記遮断リブが前記リブの外側に非接触状態になるように固定されることを特徴とする電子機器。
【請求項２】
前面から背面に貫通した貫通孔と、前記貫通孔の縁を背面側に折り曲げることで形成されたリブと、背面側に突出する取付ボスとを具備した前面パネルと、
少なくともスイッチが実装された基板と、
平板形状の台座部と、前記台座部より突出する面押し部と、前記台座部の一方の端部近傍から少なくとも一部が前記面押し部と反対側に一体的に突出し先端部が前記スイッチと対向するスイッチ押圧部と、前記台座部の他方の端部に一体的に連結し弾性変形するヒンジ部と、前記ヒンジ部と一体的に連結するとともに前記取付ボスに外嵌するボス孔とを具備する面押しボタンと、
前記面押しボタンは、前記台座部より前記面押し部から距離を開けて該面押し部と同じ方向に一体的に突出し、前記面押し部の前記台座部の端部と近接する部分を囲むように形成される遮断リブを有し、
前記面押しボタンを前記ボス孔を前記取付ボスに挿着し固定することで、前記面押し部の一部が前記貫通孔より前記前面パネルの外側に露出し、前記貫通孔及び前記リブの内側に非接触状態になるように且つ前記遮断リブが前記リブの外側に非接触状態になるように固定されることを特徴とする電子機器。
【請求項３】
前記前面パネルには、前記貫通孔と近接した場所に形成され前面から背面に貫通したレンズ露出孔が設けられており、
前記台座部に近接して配置され、一方の端面に凹凸が形成され前記発光体より出射された光が入射すると共に他方の端面が前記レンズ露出孔より露出し前記入射した光をレンズ露出孔より外部に導く柱状の導光レンズとを備えており、
前記遮断リブが前記面押し部の前記導光レンズから漏れる光が照射される部分及び前記台座部の端部と近接する部分を囲むように形成されることを特徴とする請求項２に記載の電子機器。
【請求項４】
前記遮断リブは前記面押しボタンが前記前面パネルに取り付けられたときに前記リブを一定の間隔をあけて覆う形状を有することを特徴とする請求項２又は請求項３に記載の電子機器。
【発明の詳細な説明】
【技術分野】
【０００１】
本発明は、内部から外部への光漏れ及び外部から内部への静電気の侵入を抑制することができる面押しボタンを備えた電子機器に関するものである。
【背景技術】
【０００２】
音響機器、映像機器等の電子機器は、前面に前記電子機器の操作を行うための面押しボタンを多数備えているものが多い。例えば前記電子機器がＤＶＤ（Ｄｉｇｉｔａｌ  Ｖｅｒｓａｔｉｌｅ  Ｄｉｓｃ）プレーヤの場合、電源入／切、再生、停止、ディスク排出等の操作を行うことができる面押しボタンを有しており、各面押しボタンを押すことで該面押しボタンに関連付けられた操作を行うことができる。
【０００３】
図６に従来の電子機器の一例であるＤＶＤプレーヤの正面図を示す。図６に示すＤＶＤプレーヤＢは、前面パネル９１と、前面パネル９１に形成されるＤＶＤメディアの投入口Ｉｈと、電源ボタン９２ｎと、まき戻しボタン９２ｒ、停止ボタン９２ｓと、再生（一時停止）ボタン９２ｐと、早送りボタン９２ｆと、ＤＶＤメディアを排出するためのメディア排出ボタン９２ｅと、前面パネル９１と平行に配置される基板９３と、基板に取り付けられたスイッチ９４と、基板９１に取り付けられた発光ダイオード９５と、発光ダイオード９５より出射された光を導くための導光レンズ９６とを備えている。
【０００４】
図７に図６に示すＤＶＤプレーヤの断面図を、図８に図７に示す面押しボタンの正面図を示す。図７及び図８に示す面押しボタン９２はここでは電源ボタン９２ｐをモデルとしている。前面パネル９１は、後述の面押しボタン９２の面押し部９２２が突出するための貫通孔９１１と、貫通孔９１１の周縁部より内側に延びるリブ９１２と、貫通孔９１１の近くに形成され導光レンズ９６を外部に露出させるためのレンズ露出孔９１３と、前面パネル９１の背面より突出する取付ボス９１４とが備えられている。リブ９１２は、面押しボタン９２が前面パネル９１に取り付けられたときに、前面パネル９１と近接すると共に、接触しないように形成される。
【０００５】
図７及び図８に示すように、面押しボタン９２は前面パネル９１の背面に取り付けられるものであり、矩形の平板状の台座部９２１と、台座部９２１の一方の端部の近傍より突出する円柱状の面押し部９２２と、台座部９２１の面押し部９２２が突出するのと反対側の面より突出し基板９３に取り付けられたスイッチ９４を押圧するスイッチ押圧部９２３と、台座部９２１の他方の端部に一体的に連結され台座部９２１とボス孔９２３とを連結し、台座部９２１の厚みよりも薄いヒンジ部９２４と、前面パネル９１の背面より突出する後述の取付ボス９１４と係合するボス孔９２５とが形成されている。
【０００６】
面押しボタン９２は、ボス孔９２５を取付ボス９１４に外嵌させ、取付ボス９１４のボス孔９２５より露出した部分を加熱し溶融させてボス孔９２５に付着させ硬化することで、溶着し、前面パネル９１の背面に取り付けられる。前面パネル９１に取り付けられた面押しボタン９２は、面押し部９２２の貫通孔９１１より露出した部分を押すことで、ヒンジ部９２４がたわみ、スイッチ押圧部９２３がスイッチ９４を押圧する。
【０００７】
導光レンズ９６は一方の端部に発光ダイオード９５と対面する入光部９６１と、他方の端部に前面パネル９１に設けられているレンズ露出孔９１３より露出する出光部９６２とが形成されている。発光ダイオード９５はＤＶＤプレーヤＢの電源が投入されているかどうか表示するものであり、例えば電源が切断されている場合赤色の光が、電源が投入されている場合、緑色の光が出射されるものである。導光レンズ９６は入光部９６１に凹凸を有するシボ加工が施されている。シボ加工は入光部９６１より入射する光の方向を産卵させるものであり、出光部９６２より出射する光を拡散させ、広い範囲で光を認識できるようにしている。
【０００８】
また、図７に示す面押しボタン９２では、面押しボタン９２の面押し部９２２と前面パネル９１の貫通孔９１１との隙間より面押しボタン９２を押すユーザの指先より放電される静電気が侵入し、基板９３や基板９３に取り付けられたスイッチ９４に影響し、誤作動や故障の原因になる。面押しボタン９２は絶縁体である樹脂の一体成型で形成されるものであり、リブ９１２を設けることで静電気の流れる経路（矢線Ａｒ９で示す）を長くすることができる。
【０００９】
このとき、導光レンズ９６の側周面では導光レンズ９６内部を透過する光の多くを反射するように形成されているが、その光はわずかながら反射せずに外部に透過する。この導光レンズ９６より透過した光（図中矢線Ａｒ８）が、前面パネル９１と面押しボタン９２との隙間より漏れやすい。その光漏れを抑制するために前面パネル９１にリブ９１２が形成されている。
【００１０】
また、この光漏れ、静電気の放電による不具合を解消するために、特開２００２−２０７４３２号公報に記載の発明では、表示部と同一面にデッドスペースとなる非表示部が広がる表示装置が取り付けられる操作パネルにおいて、ヒンジにより支持される操作つまみを非表示部と重なるように配置すると共に操作つまみと非表示部との間にシールド板を配置することで、遮光すると共に静電気の侵入を抑制するものが示されている。
【特許文献１】特開２００２−２０７４３２号公報
【発明の開示】
【発明が解決しようとする課題】
【００１１】
しかしながら、ＤＶＤプレーヤＢでは、リブ９１２が形成されているが、光の回折による光漏れを十分に抑制することができず、例えば、暗い雰囲気中にＤＶＤプレーヤＢが配置されると、レンズ露出孔９１３からの光以外にも導光レンズ９６より漏れた光が面押しボタン９２（ここでは、電源ボタン９２ｐ）と貫通孔９１１との間隙より漏れる。貫通孔９１１と面押し部９２２の間隙から侵入する静電気は図中矢線Ａｒ９で示す経路を通って流れる。ＤＶＤプレーヤＢではこの矢線Ａｒ９が短く静電気が侵入しやすい。
【００１２】
特開２００５−５０７５０号公報に記載の発明では、光漏れ及び静電気の侵入を抑制することができるが、面押しボタン以外に、フロントパネルと基板又は基板上に配置される電子部品の間にシールド板を配置しなくてはならず、構成部材が増えることで、部材の製造コスト及び組み立てコストが高くなる。また、シールド板を配置するスペースが必要であり、コンパクトに製造するのが難しくなる。
【００１３】
そこで本発明は、部材を追加することなく、前面パネルの貫通孔と当該貫通孔より一部が突出する面押しボタンとの間隙から光が漏れるのを抑制し、さらに、その間隙より静電気が侵入し内部に配置される基板や電子部品の誤作動や破損等の不具合が発生するのを抑制することができる面押しボタンを備えた電子機器を提供することを目的とする。
【課題を解決するための手段】
【００１４】
上記目的を達成するために本発明は、前面から背面に貫通した貫通孔と、前記貫通孔の縁を背面側に折り曲げることで形成されたリブと、前記貫通孔と近接した場所に形成され前面から背面に貫通したレンズ露出孔と、背面側に突出する取付ボスとを具備した前面パネルと、少なくとも発光ダイオードとスイッチとが実装され前記前面パネルに対して平行に配置された基板と、平板形状の台座部と、前記台座部より一体的に突出した面押し部と、前記台座部の一方の端部近傍から少なくとも一部が前記面押し部と反対側に一体的に突出し先端部が前記スイッチと対向するスイッチ押圧部と、前記台座部の他方の端部に該台座部の厚みよりも薄く且つ該他方の端部の一部と一体的に連結するヒンジ部と、前記ヒンジ部と一体的に連結するとともに前記取付ボスに挿着されるボス孔とを具備する面押しボタンと、前記台座部の前記一方の端部に近接して配置され、一方の端面に凹凸が形成され前記発光ダイオードより出射された光が入射すると共に他方の端面が前記レンズ露出孔より露出し前記入射した光をレンズ露出孔より外部に導く柱状の導光レンズとを備え、前記面押しボタンは前記面押し部と前記導光レンズとの間に、前記台座部より前記面押し部から距離を開けて該面押し部と同じ方向に一体的に突出した半円筒状の遮断リブを有しており、前記面押しボタンを前記ボス孔を前記取付ボスに挿着し固定することで、前記面押し部の一部が前記貫通孔より前記前面パネルの外側に露出し、前記貫通孔及び前記リブの内側に非接触状態になるように且つ前記遮断リブが前記リブの外側に非接触状態になるように固定されることを特徴とする。
【００１５】
上記目的を達成するために本発明は、前面から背面に貫通した貫通孔と、前記貫通孔の縁を背面側に折り曲げることで形成されたリブと、背面側に突出する取付ボスとを具備した前面パネルと、少なくともスイッチが実装された基板と、平板形状の台座部と、前記台座部より突出する面押し部と、前記台座部の一方の端部近傍から少なくとも一部が前記面押し部と反対側に一体的に突出し先端部が前記スイッチと対向するスイッチ押圧部と、前記台座部の他方の端部に一体的に連結し弾性変形するヒンジ部と、前記ヒンジ部と一体的に連結するとともに前記取付ボスに外嵌するボス孔とを具備する面押しボタンと、前記面押しボタンは、前記台座部より前記面押し部から距離を開けて該面押し部と同じ方向に一体的に突出し、前記面押し部の前記台座部の端部と近接する部分を囲むように形成される遮断リブを有し、前記面押しボタンを前記ボス孔を前記取付ボスに挿着し固定することで、前記面押し部の一部が前記貫通孔より前記前面パネルの外側に露出し、前記貫通孔及び前記リブの内側に非接触状態になるように且つ前記遮断リブが前記リブの外側に非接触状態になるように固定されることを特徴とする。
【００１６】
上記構成において、前記前面パネルには、前記貫通孔と近接した場所に形成され前面から背面に貫通したレンズ露出孔が設けられており、前記台座部に近接して配置され、一方の端面に凹凸が形成され前記発光体より出射された光が入射すると共に他方の端面が前記レンズ露出孔より露出し前記入射した光をレンズ露出孔より外部に導く柱状の導光レンズとを備えており、前記遮断リブが前記面押し部の前記導光レンズから漏れる光が照射される部分及び前記台座部の端部と近接する部分を囲むように形成されていてもよい。
【００１７】
上記構成において、前記遮断リブは前記面押しボタンが前記前面パネルに取り付けられたときに前記リブを一定の間隔をあけて覆う形状を有していてもよい。
【発明の効果】
【００１８】
本発明によると、部材を追加することなく、前面パネルの貫通孔と当該貫通孔より一部が突出する面押しボタンとの間隙から光が漏れるのを抑制し、さらに、その間隙より静電気が侵入し内部に配置される基板や電子部品の誤作動や破損等の不具合が発生するのを抑制することができる面押しボタンを備えた電子機器を提供することができる。
【発明を実施するための最良の形態】
【００１９】
以下に本発明の実施形態を図面を参照して説明する。図１に本発明にかかる電子機器の一例の正面図を示す。図１に示す電子機器はそれには限定されないが、ここではＤＶＤプレーヤである。図１に示すＤＶＤプレーヤＡは、前面パネル１と、前面パネル１に形成されたＤＶＤメディアの投入口Ｉｈと、電源ボタンＰｗと、停止ボタンＳｐと、再生（一時停止）ボタンＰｓと、早送りボタンＦｆと、巻き戻しボタンＲｗと、ＤＶＤメディアを排出するためのメディア排出ボタンＥｊと、前面パネル１とを備えている。電源ボタンＰｗ、停止ボタンＳｐ、再生（一時停止）ボタンＰｓ、早送りボタンＦｆ、巻き戻しボタンＲｗ及びメディア排出ボタンＥｊは後述する面押しボタン２と同様の構造を有している。
【００２０】
図２に本発明にかかる電子機器の面押しボタンが取り付けられた要部の拡大断面図を、図３に本発明にかかる電子機器に用いられる面押しボタン単体の正面図を示す。図２に示す面押しボタン２は、それには限定されないがここでは図１に示す電源ボタンＰｗである。面押しボタン２は前面パネル１の背面に取り付けられるものである。図２に示すように電子機器は前面パネル１と、面押しボタン２と、前面パネル１と平行に配置される基板３と、基板に取り付けられたスイッチ４と、基板３に取り付けられた発光ダイオード５と、発光ダイオード５より出射された光を導くための導光レンズ６とを備えている。
【００２１】
前面パネル１はそれには限定されないが、ここでは絶縁性を有する樹脂の一体成形で製造されるものである。図２に示すように、前面パネル１には、前面から背面に貫通した貫通孔１１と、貫通孔１１の縁を背面側に折り曲げることで形成されたリブ１２と、貫通孔１１と近接した場所に形成され前面から背面に貫通したレンズ露出孔１３と、前面パネル１の背面より突出する取付ボス１４とが備えられている。レンズ露出孔１３は貫通孔１１に対して図中上方（換言すると、面押しボタン２の面押し部２２と近接する位置）に形成され、後述する導光レンズ６の出光部６２が貫通するとともに外部に露出する（図２参照）。
【００２２】
面押しボタン２はそれには限定されないが、ここでは絶縁性を有する樹脂の一体成形で製造されるものである。図２、図３に示すように面押しボタン２は矩形の平板状の台座部２１と、台座部２１より突出する面押し部２２と、面押し部２２が突出するのと反対側に突出するスイッチ押圧部２３と、台座部２１の端部に一体的に連結するヒンジ部２４と、ヒンジ部２４と連結し前面パネル１の背面より突出する後述の取付ボス１４に外嵌されるボス孔２５と、面押し部２２の少なくとも一部を覆うように形成される遮断リブ２６が備えられている。
【００２３】
面押し部２２は、台座部２１と一体に形成された円筒形状を有するものであり、突出する先端部２２１は閉じた平面形状を有している。スイッチ押圧部２３は一部が面押し部２２及び面押し部２２の先端部２２１と一体に、他の部分が台座部２１と一体に形成されており、複数の板状の部材を重ね合わせた形状を有している。スイッチ押圧部２３はヒンジ部２４に対して面押し部２２よりも遠い部分に形成されている。
【００２４】
図３に示すように、遮断リブ２６は台座部２１から一体的に突出するものであり、面押し部２２に対してヒンジ部２４が配置されているのと反対側に配置されるものである。遮断リブ２６はそれには限定されないが、ここでは、半円筒形状（軸周りの中心角度が１８０°）で形成されており、半円筒部の曲率の中心が面押し部２２の中心軸と一致するように形成されている。また図２、図３に示すように、ヒンジ部２４は台座部２１の厚みよりも薄く形成されており、台座部２１の一部と連結している。すなわち、ヒンジ部２４の断面積は面押しボタン２の他の部分（例えば、台座部２１等）の断面積よりも小さく形成されており、このように形成されることで、面押し部２２が押されたときには常にヒンジ部２４がたわむようにっている。
【００２５】
図２に示すように基板３は前面パネル１と平行に配置されるものであり、配線パターン（図示省略）が形成された配線パターン面３１と電子部品（例えば、スイッチ４、発光ダイオード５等）が実装される実装面３２とを有している。基板３にはスイッチ４、発光ダイオード５が取り付けられている。スイッチ４及び発光ダイオード５以外の電子部品も取り付けられているが、ここでは図示を省略している。スイッチ４及び発光ダイオード５は基板３に形成されたスルーホール（基板３を配線パターン面３１から電子部品実装面３２に貫通する孔。図示省略）に端子を電子部品実装面３２側から挿入し配線パターン面３１に形成された配線パターンにはんだ付けすることで、基板３に固定されるとともに端子を配線パターンに電気的に接続される。
【００２６】
発光ダイオード５はそれには限定されないが、ここでは、ＤＶＤプレーヤＡに電源が投入されているかどうか表示するものである。発光ダイオード５は例えば電源が切断されている場合赤色の光が、電源が投入されている場合、緑色の光が出射されるものである。スイッチ４としてはそれには限定されないが、ここでは、軸方向に押下されることでＯＮ／ＯＦＦを切り替えるタクトスイッチである。
【００２７】
導光レンズ６はガラス、アクリル等の光を導く素材からなる。導光レンズ６は一方の端部に基板に取り付けられた発光ダイオード５と対面する入光部６１と、他方の端部に前面パネル１に形成されているレンズ露出孔１３より露出する出光部６２とが形成されている。発光ダイオード５より出射する光は指向性が高く拡散しにくいので、導光レンズ６に入射するときに拡散させるために、入光部６１に凹凸を形成するシボ加工が施されている。入光部６１にシボ加工が施されていることで、導光レンズ６の入光部６１より入光する光の指向性は低くなり、拡散した光が導光レンズ６内部を透過する。
【００２８】
図２に示すように、面押しボタン２は、前面パネル１の背面側からボス孔２５が取付ボス１４を外嵌するように配置し、取付ボス１４のボス孔２５より露出した部分を溶着することで前面パネル１の背面側に取付固定される。面押しボタン２を前面パネル１の背面側に取り付けることで、面押し部２２は貫通孔１１及びリブ１２と非接触で、その先端部２２１が貫通孔１１より前面パネル１の前面側に露出する。
【００２９】
面押しボタン２のボス孔２５が固定された状態で面押し部２２の貫通孔１１より露出した先端部２２１を押すと、ヒンジ部２４がたわみ、面押し部２２、台座部２１及びスイッチ押圧部２３が背面側に傾倒しスイッチ押圧部２３が基板３に取り付けられるスイッチ４を押圧する。このとき、スイッチ押圧部２３がヒンジ部２４に対して面押し部２２よりも遠くに形成されているので、面押し部２２が押される量に対し、スイッチ押圧部２３の移動量を大きくすることができる。
【００３０】
またこのとき、台座部２１はリブ１２の背面側の先端部と近接するとともに接触しないように配置される。さらに、遮断リブ２６はリブ１２の外側を覆うように配置されており、遮断リブ２６の先端部２６１は前面パネル１の背面部と近接するとともに接触しないように配置されている。
【００３１】
図２に示すようにレンズ露出孔１３は貫通孔１１に対して図中上方（換言すると、面押しボタン２の面押し部２２に近接した位置）に形成され、導光レンズ６の出光部６２が貫通するとともに外部に露出する。導光レンズ６は図示を省略した取付ステーにて保持されることで、前面パネル１に脱落しないように固定されるものである。
【００３２】
導光レンズ６の入光部６１より入射した光は、入光部６１及び出光部６２以外の側周面の内側で反射して、出光部６２まで導かれる。このとき、側周面の内側で反射するときに光はその一部が導光レンズ６の外部に漏れる。すなわち、図２の矢印Ａｒ１で示す方向に漏れた光が照射される。このとき、遮断リブ２６とリブ１２とが光の照射方向に対し重なるように配置されており、漏れた光はもともと光量も少ないので、遮断リブ６とリブ１２とで二重に遮られることで、面押し部２２と貫通孔１１及びリブ１２との間隙ｔ１から光が漏れるのを抑制することができる。
【００３３】
また、電子機器の出荷前検査として、静電試験と呼ばれる試験が行われる。この試験は面押し部２２と貫通孔１１及びリブ１２との間隙ｔ１の前面側から通常使用時に発生するであろう静電気を放電し、内部の基板３、スイッチ４、発光ダイオード５等の内部に配置された電子部品に、動作不良、故障や破損等の不具合が発生しないか調査するものである。
【００３４】
面押しボタン２は樹脂の一体成形にて製造されるものであり、電気を通さない。そこで静電気は、間隙より進入し面押しボタン２と前面パネル１の間に形成された隙間の空間を伝い、台座部２１を回り込んで背面側に流れようとする。とくに、図中上部は台座部２１の端部が面押し部２２が突出する部分と近接しており、静電気の通過するルートの距離（静電距離という）が短く静電気が流れやすい。しかし、ＤＶＤプレーヤＡでは遮断リブ２６とリブ１２とが折り重なるように形成されており、静電気が通過するルートは図中矢線Ａｒ２で示すように複数の屈曲部を有しており静電距離が長くなるので、静電気が流れるのを抑制することができ、静電試験を行っても基板３、スイッチ４、発光ダイオード５等のＤＶＤプレーヤＡの内部に配置された電子部品に不具合が発生しない。
【００３５】
静電試験を行った結果不具合が発生しないことがわかると、通常使用時に前面パネル１の外部より放電される静電気による不具合は発生しにくくなり、それだけ、ＤＶＤプレーヤＡの信頼性を高めることができる。また、静電距離が長くなるように前面パネル１及び面押しボタン２を形成しているので、面押し部２２を押そうとしているユーザの指から、ユーザの体に溜まった静電気がＤＶＤプレーヤＡに流れたり、ＤＶＤプレーヤＡ内部に溜まった静電気が面押し部２２を押そうとしているユーザの指に流れたりするのを抑制することができるので、ユーザにとって不快な静電気による刺激を受けるのを抑制することが可能である。
【００３６】
上記実施例において、電源ボタンＰｗの例を挙げて説明したが、それに限定されるものではなく、それ以外のボタンについても、光漏れ及び（又は）静電気の侵入の抑制を行うための遮断リブを備えた面押しボタンを採用してもよい。
【００３７】
図４に本発明にかかる電子機器に用いられる面押しボタンの他の例の正面図を示す。図４に示す電子機器は導光レンズ６の位置と面押しボタン２の遮断リブ２７の位置が異なるのみであり、それ以外は図２に示す電子機器と同じ部分を有しており、実質上同じ部分には同じ符号が付してある。
【００３８】
図４に示すように、導光レンズ６は面押しボタン２からみて、真上よりずれた位置に配置されている。面押しボタン２の遮断リブ２７は導光レンズ６より漏れる光を遮断するために配置されるので、面押しボタン２を前面パネル１に配置したときに、導光レンズ６より漏れた光が面押し部２２に照射する範囲を覆うように遮断リブ２７を形成する。また、遮断リブ２７は静電気の侵入を抑制するために静電距離を伸ばすように配置されるものであり、面押し部２２の台座部２１との接続部と台座部２１の端部との距離が短い部分も覆うような形状に形成される。すなわち、図４に示すような正面から見て少し傾いた軸線方向に切断した円筒形状に形成される。
【００３９】
図５に本発明にかかる電子機器に用いられる面押しボタンのさらに他の例の正面図を示す。図５に示す面押しボタン２は遮断リブ２８が異なる以外は面押しボタン２と同じ部分を備えており、実質上同じ部分には同一の符号がふしてある。図５に示すように遮断リブ２８は軸方向に切断した円筒形状に限定されるものではなく、リブ１２の形状に合わせてリブ１２を非接触で囲む形状のものを広く採用することができる。さらに言うと、遮断リブ２７は完全にリブ１２に沿って配置される必要はなく、遮断リブ２８とリブ１２が間隙をあけて配置されるものを広く採用することができる。
【００４０】
上記実施例において、面押しボタンを利用した電子機器としてＤＶＤメディアの再生を行うＤＶＤプレーヤＡを採用しているが、それに限定されるものではなく、面押しボタンを用いて操作を行う電子機器（例えば、ＶＴＲ、ＣＤ、ＴＶ受像機等）を広く採用することができる。また、面押しボタン２の面押し部２２は正面視（正面から見て）円形状のものを例に説明しているが、それに限定されるものではなく、楕円形状、矩形状等、ユーザが認識しやすく、押しやすい形状のものを広く採用することができる。
【産業上の利用可能性】
【００４１】
本発明の面押しボタンは、ＶＴＲ、ＤＶＤ、ＣＤ、ＬＤ等の面押しボタンを用いて操作を行うことができる電子機器において適用することができる。
【図面の簡単な説明】
【００４２】
【図１】本発明にかかるＤＶＤプレーヤの一例の正面図である。
【図２】本発明にかかる電子機器の面押しボタンが取り付けられた要部の拡大断面図である。
【図３】本発明にかかる電子機器に用いられる面押しボタン単体の正面図である。
【図４】本発明にかかる電子機器に用いられる面押しボタンの他の例の正面図である。
【図５】本発明にかかる電子機器に用いられる面押しボタンのさらに他の例の正面図である。
【図６】従来のＤＶＤプレーヤの一例の正面図である。
【図７】図６に示すＤＶＤプレーヤの断面図である。
【図８】図７に示す面押しボタンの正面図である。
【符号の説明】
【００４３】
１  前面パネル
１１  貫通孔
１２  リブ
１３  レンズ露出孔
１４  取付ボス
２  面押しボタン
２１  台座部
２２  面押し部
２３  スイッチ欧亜粒
２４  ヒンジ部
２５  ボス孔
２６、２７、２８  遮断リブ
３  基板
４  スイッチ
５  発光ダイオード
６  導光レンズ
【図１】
2007188683.tif 000003
【図２】
2007188683.tif 000004
【図３】
2007188683.tif 000005
【図４】
2007188683.tif 000006
【図５】
2007188683.tif 000007
【図６】
2007188683.tif 000008
【図７】
2007188683.tif 000009
【図８】
2007188683.tif 000010